【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
出力画像データを出力すると共にコマンド信号を出力するコントローラ部と、前記出力画像データをメディアに出力するエンジン部とから構成される画像出力装置の前記コントローラ部を検証するための画像処理装置において、前記コントローラ部とデータ通信を行うインターフェース手段と、前記インターフェース手段を介して前記コントローラ部から出力される画像データを取得する第１の取得手段と、前記インターフェース手段を介して前記コントローラ部から出力されるコマンド信号を取得する第２の取得手段と、前記コマンド信号に従い前記コントローラ部に対する画像データ同期信号を生成する画像同期信号生成手段と、前記取得された画像データを保持する画像メモリと、前記保持した画像データを表示する表示手段と、前記画像処理装置のシステム全体を制御するシステム制御手段と、前記生成された画像データ同期信号に従って、前記画像メモリによる前記画像データの保持動作、及び前記表示手段による前記画像データの表示動作を同期させる同期手段とを備えることを特徴とする画像処理装置。
【請求項２】
前記画像メモリは２ページ以上のサイズを有し、前記同期手段は、前記第１の取得手段により前記画像データの取得動作、及び前記表示手段による前記画像データの表示動作を同期させることを特徴とする請求項１記載の画像処理装置。
【請求項３】
前記表示手段は、その表示領域に合わせて前記画像データの解像度を変換することを特徴とする請求項1又は２記載の画像処理装置。
【請求項４】
前記画像メモリに保持された画像データの中から前記表示手段で表示される画像プレーンを指定する指定手段を備えることを特徴とする請求項1乃至３のいずれか１項に記載の画像処理装置。
【請求項５】
前記画像プレーンはCMYK各プレーンの中から選択可能であることを特徴とする請求項４に記載の画像処理装置。
【請求項６】
前記表示手段は、RGBカラー表示を指定可能であり、前記画像メモリに保持された複数プレーンの画像データからRGBカラーデータを生成することを特徴とする請求項１乃至５のいずれか１項に記載の画像処理装置。
【請求項７】
前記画像メモリは、前記画像データ同期信号に同期した画像データの取込み及び表示に係る一連の動作の停止が指示されたときは、前記停止指示直前の画像データを保持し、前記画像処理装置は、前記保持された画像データに対して解析処理が可能であることを特徴とする請求項１乃至６のいずれか１項に記載の画像処理装置。
【請求項８】
前記停止指示に基づいて前記解析処理が可能になることを特徴とする請求項７に記載の画像処理装置。
【請求項９】
前記解析処理は、表示色空間の変更、拡大／縮小、データ保存処理を含み、前記解析処理の機能の指定に従って前記画像メモリに保持された画像データの中から必要なデータを再び転送して表示又は保存することを特徴とする請求項７又は８記載の画像処理装置。
【請求項１０】
前記データ保存処理は、CMYK各プレーンの中から指定プレーンを保存する場合、指定プレーンを単色グレースケールのファイルフォーマット形式で保存することを特徴とする請求項９記載の画像処理装置。
【請求項１１】
前記表示手段は、前記解析処理が可能な状態から前記同期手段の動作開始の指示がなされたときに、前記画像データ同期信号に同期した画像取り込みと表示可能な状態になることを特徴とする請求項７乃至１０のいずれか１項に記載の画像処理装置。
【請求項１２】
前記第２の取得手段は、取得された複数のコマンドを保持することが可能なことを特徴とする請求項１乃至１１のいずれか１項に記載の画像処理装置。
【請求項１３】
前記コマンド信号は擬似的なエラーレスポンスを返送可能なことを特徴とする請求項１乃至１２のいずれか１項に記載の画像処理装置。
【請求項１４】
前記インターフェース手段が交換可能であることを特徴とする請求項１乃至１３のいずれか１項に記載の画像処理装置。
【請求項１５】
前記システム制御手段は汎用コンピュータであり、前記インターフェース手段、前記第１の取得手段、第２の取得手段、信号制御手段、前記画像メモリがインターフェース部を構成し、当該インターフェース部が前記汎用コンピュータの拡張ボードに格納されることを特徴とする請求項1乃至１４のいずれか１項に記載の画像処理装置。
【請求項１６】
画像出力装置に対して所定の画像インターフェースを介して複数の色空間を有する画像データを供給する画像供給装置から前記画像インターフェースを介して取り込んだ画像データを処理する画像処理方法であって、前記画像インターフェースを介して取り込む画像データのいずれかの色空間を予め指定する指定工程と、前記指定工程で指定された色空間に対して所定の画像処理を施す画像処理工程とを備えたことを特徴とする画像処理方法。
【請求項１７】
画像出力装置に対して所定の画像インターフェースを介して複数の色空間を有する画像データを供給する画像供給装置から前記画像インターフェースを介して取り込んだ画像データを処理する画像処理方法を実行するプログラムであって、前記プログラムは、前記画像インターフェースを介して取り込む画像データのいずれかの色空間を予め指定する指定ステップと、前記指定工程で指定された色空間に対して所定の画像処理を施す画像処理ステップとを備えたことを特徴とするプログラム。
【請求項１８】
出力画像データを出力すると共にコマンド信号を出力するコントローラ部と、前記出力画像データをメディアに出力するエンジン部とから構成される画像出力装置の前記コントローラ部の動作を検証する画像処理装置において、前記コントローラ部とデータ通信を行うインターフェース手段と、前記インターフェース手段を介して前記コントローラ部から出力される画像データを取得する画像データ取得手段と、前記インターフェース手段を介して前記コントローラ部から出力されるコマンド信号を取得するコマンド取得手段と、前記画像処理装置のシステム全体を制御する制御手段と、取得した画像データを表示する表示手段とを有し、前記制御手段は、前記コマンド取得手段より取得したコマンドに基づいて前記画像データ取得手段が取得した画像データを制御して前記表示手段に表示することを特徴とする画像処理装置。
【請求項１９】
前記画像処理装置は、前記画像出力装置のエンジン部の代わりに、コントローラ部の生成する画像データを前記表示手段に可視化することによりコントローラ部の動作を検証することを特徴とする請求項１８記載の画像処理装置。
【請求項２０】
前記画像処理装置は、コントローラ部の生成する画像データをリアルタイムに可視化するリアルタイム解析処理モードと、画像メモリに蓄積した画像データを可視化するオフライン解析処理モードとを有することを特徴とする請求項１９記載の画像処理装置。
【請求項２１】
出力画像データを出力すると共にコマンド信号を出力するコントローラ部と、前記出力画像データをメディアに出力するエンジン部とから構成される画像出力装置の前記コントローラ部の動作を検証する画像処理方法において、前記コントローラ部から出力される画像データをインターフェースを介して取得する画像データ取得ステップと、前記インターフェースを介して前記コントローラ部から出力されるコマンド信号を取得するコマンド取得ステップと、前記画像処理装置のシステム全体を制御する制御ステップと、取得した画像データを表示する表示ステップとを有し、前記制御ステップは、前記コマンド取得ステップで取得したコマンドに基づいて前記画像データ取得ステップで取得した画像データを制御して前記表示ステップで表示することを特徴とする画像処理方法。
【請求項２２】
前記画像処理方法は、前記画像出力装置のエンジン部の代わりに、コントローラ部の生成する画像データを前記表示ステップで可視化することによりコントローラ部の動作を検証することを特徴とする請求項２１記載の画像処理方法。
【請求項２３】
前記画像処理方法は、コントローラ部の生成する画像データをリアルタイムに可視化するリアルタイム解析処理モードと、画像メモリに蓄積した画像データを可視化するオフライン解析処理モードとを有することを特徴とする請求項２２記載の画像処理方法。
【手続補正２】
【補正対象書類名】明細書
【補正対象項目名】００２９
【補正方法】変更
【補正の内容】
【００２９】
上記目的を達成するために、請求項１７記載のプログラムは、画像出力装置に対して所定の画像インターフェースを介して複数の色空間を有する画像データを供給する画像供給装置から前記画像インターフェースを介して取り込んだ画像データを処理する画像処理方法を実行するプログラムであって、前記プログラムは、前記画像インターフェースを介して取り込む画像データのいずれかの色空間を予め指定する指定ステップと、前記指定工程で指定された色空間に対して所定の画像処理を施す画像処理ステップとを備えたことを特徴とする。
上記目的を達成するために、請求項１８記載の画像処理装置は、出力画像データを出力すると共にコマンド信号を出力するコントローラ部と、前記出力画像データをメディアに出力するエンジン部とから構成される画像出力装置の前記コントローラ部の動作を検証する画像処理装置において、前記コントローラ部とデータ通信を行うインターフェース手段と、前記インターフェース手段を介して前記コントローラ部から出力される画像データを取得する画像データ取得手段と、前記インターフェース手段を介して前記コントローラ部から出力されるコマンド信号を取得するコマンド取得手段と、前記画像処理装置のシステム全体を制御する制御手段と、取得した画像データを表示する表示手段とを有し、前記制御手段は、前記コマンド取得手段より取得したコマンドに基づいて前記画像データ取得手段が取得した画像データを制御して前記表示手段に表示することを特徴とする。
請求項１９記載の画像処理装置は、請求項１８記載の画像処理装置において、前記画像処理装置は、前記画像出力装置のエンジン部の代わりに、コントローラ部の生成する画像データを前記表示手段に可視化することによりコントローラ部の動作を検証することを特徴とする。
請求項２０記載の画像処理装置は、請求項１９記載の画像処理装置において、前記画像処理装置は、コントローラ部の生成する画像データをリアルタイムに可視化するリアルタイム解析処理モードと、画像メモリに蓄積した画像データを可視化するオフライン解析処理モードとを有することを特徴とする。
上記目的を達成するために、請求項２１記載の画像処理方法は、出力画像データを出力すると共にコマンド信号を出力するコントローラ部と、前記出力画像データをメディアに出力するエンジン部とから構成される画像出力装置の前記コントローラ部の動作を検証する画像処理方法において、前記コントローラ部から出力される画像データをインターフェースを介して取得する画像データ取得ステップと、前記インターフェースを介して前記コントローラ部から出力されるコマンド信号を取得するコマンド取得ステップと、前記画像処理装置のシステム全体を制御する制御ステップと、取得した画像データを表示する表示ステップとを有し、前記制御ステップは、前記コマンド取得ステップで取得したコマンドに基づいて前記画像データ取得ステップで取得した画像データを制御して前記表示ステップで表示することを特徴とする。
請求項２２記載の画像処理方法は、請求項２１記載の画像処理方法において、前記画像処理方法は、前記画像出力装置のエンジン部の代わりに、コントローラ部の生成する画像データを前記表示ステップで可視化することによりコントローラ部の動作を検証することを特徴とする。
請求項２３記載の画像処理方法は、請求項２２記載の画像処理方法において、前記画像処理方法は、コントローラ部の生成する画像データをリアルタイムに可視化するリアルタイム解析処理モードと、画像メモリに蓄積した画像データを可視化するオフライン解析処理モードとを有することを特徴とする。
【手続補正３】
【補正対象書類名】明細書
【補正対象項目名】００６０
【補正方法】変更
【補正の内容】
【００６０】
本実施の形態では、オペレーティングシステム６１として米マイクロソフト社のWindows（登録商標）2000を利用している。オペレーティングシステム６１はパーソナルコンピュータのメモリ、割り込み、ハードディスクなどのリソースを管理する。デバイスドライバ６２は、本実施の形態に必要なハードウェアであるインターフェースボード２２に対する基本的操作を提供するソフトウェアである。基本的な操作とは、インターフェースボード２２上のレジスタへのアクセス、バッファメモリへのアクセス、インターフェースボード２２からの割り込みの処理等である。マネージャ６３は、インターフェースボード２２へのより高度な操作を提供するミドルウェアである。高度な操作とは、インターフェースボード２２上のバッファに格納されたの画像データをDIBフォーマット（デバイス非依存ビットマップ形式）で取得する機能などであり、取得時には縮小・拡大・ディザ補正などを同時に処理することができる。ミドルウェア６３は内部でデバイスドライバ６２を利用している。アプリケーション６４は当該装置のオペレータに対するユーザインターフェースとなるソフトウェアである。オペレータはアプリケーション６４を通じて、当該装置に起動、停止、解析などの指示を出すことができる。アプリケーション６４は内部でミドルウェア６３を利用している。
【手続補正４】
【補正対象書類名】明細書
【補正対象項目名】００６５
【補正方法】変更
【補正の内容】
【００６５】
図１１は、図７のステップＳ１０２で表示されるＣＲＴ２５の初期画面の説明図である。
【手続補正５】
【補正対象書類名】明細書
【補正対象項目名】００６７
【補正方法】変更
【補正の内容】
【００６７】
図７に戻り、画像サイズの変更が指示されたときは（ステップＳ１０３でＹＥＳ）、指定された画像データを表示するようにパラメータを設定した（ステップＳ１０４）後、ステップＳ１０５に進む。ビデオデータ制御部２００は、設定されたパラメータに従って有効な領域の画像データのみを画像メモリに保持する。
【手続補正６】
【補正対象書類名】明細書
【補正対象項目名】００６９
【補正方法】変更
【補正の内容】
【００６９】
ステップＳ１０７では、開始ボタン８５の押下を検出したか否かを判別し、検出しないときは、ステップＳ１０３以降の処理を繰り返すと共に、検出したときは、アプリケーションソフトによりマネージャレイヤのソフトウェアを介して制御部に画像データ取得動作の開始を設定して、ビデオデータ制御部２００の処理開始レジスタが設定されると同時に本ソフトウェアに対する後述する図９のページエンド割込み処理を有効化する（ステップＳ１０８）。
【手続補正７】
【補正対象書類名】明細書
【補正対象項目名】００７０
【補正方法】変更
【補正の内容】
【００７０】
このページエンド割込み処理は、ビデオデータ制御部２００が画像データの１ページ蓄積終了をソフトウェアに通知するためのものであり、ページエンド割込みが有効化されると、本ソフトウェアは停止ボタン８６が押下されるまで当該割込み処理を待ち続けることになる。